(57)【要約】【課題】天井裏などにおいて容易に施工することができる空気調和機の施工構造を提供する。【解決手段】アンカーボルト２９には上ナット４３が螺合し、上ナット４３の下には仮保持用バネ部材４４と上弾性部材４５が取り付けられている。仮保持用バネ部材４４は、両側に弾性片５０を有し、その下端からは水平方向に支持片５１が延出され、その先端からは内側へ向けて斜め下りにガイド片５２が延出されている。ケーシング２４に設けられた装着孔３０にアンカーボルト２９の下端部を挿通させ、浴室暖房乾燥機本体２２を押し上げると、装着孔３０の縁がガイド片５２に当たって弾性片５０を撓ませ、装着孔３０が支持片５１を乗り越え、浴室暖房乾燥機本体２２が支持片５１の上に乗って仮保持される。下からアンカーボルト２９に下弾性部材４６と下ナット４７を取り付け、下ナット４７を締め付けて上弾性部材４５と下弾性部材４６の間に装着孔３０の縁を挟み込む。【選択図】　　　図５
2004069240.tif 000002
【特許請求の範囲】
【請求項１】
上方から垂下された吊ボルトを空気調和機の取付け箇所に設けられた孔に挿通させ、前記孔よりも上において吊ボルトに取り付けられた上締付け具と前記孔よりも下において吊ボルトに取り付けられた下締付け具で空気調和機を吊ボルトに支持させた空気調和機の施工構造において、
空気調和機を仮保持させるための仮保持用バネ部材を前記上締付け具に支持させ、当該仮保持用バネ部材を上方から空気調和機の前記孔に挿通させ、前記上締付け具と前記下締付け具との間に空気調和機の前記取付け箇所を挟持させたことを特徴とする空気調和機の施工構造。
【請求項２】
前記上締付け具はナット及び弾性部材により構成されており、当該弾性部材を空気調和機の前記取付け箇所の上面に当接させていることを特徴とする、請求項１に記載の空気調和機の施工構造。
【請求項３】
前記下締付け具はナット及び弾性部材により構成されており、当該弾性部材を空気調和機の前記取付け箇所の下面に当接させていることを特徴とする、請求項１又は２に記載の空気調和機の施工構造。
【請求項４】
空気調和機のケーシングの上面又は側面に凹部を形成し、当該凹部の底面に位置する前記取付け箇所に前記孔を設けたことを特徴とする、請求項１、２又は３に記載の空気調和機の施工構造。
【請求項５】
前記仮保持用バネ部材は、弾性変位して内側へ向けて引っ込むようになった一対の水平な支持面と、上向きの力を受けて前記支持面を内側へ向けて引っ込ませるようになったガイド面とを備えていることを特徴とする、請求項１、２、３又は４に記載の空気調和機の施工構造。
【請求項６】
上方から垂下された吊ボルトに仮保持用バネ部材を保持した上締付け具を取り付ける工程と、
前記上締付け具の下から、空気調和機の取付け箇所に設けられた孔に吊ボルトを挿通させる工程と、
前記仮保持用バネ部材を上方から空気調和機の前記孔に挿通させ、仮保持用バネ部材によって空気調和機を仮保持させる工程と、
前記孔の下から吊ボルトに下締付け具を取り付け、上締付け具と下締付け具の間に空気調和機の前記取付け箇所を挟持させることにより空気調和機を支持させる工程と、
を備えた空気調和機の施工方法。
【発明の詳細な説明】
【０００１】
【発明の属する技術分野】
本発明は、空気調和機の施工構造及びその施工方法に関する。特に、空気調和機を天井裏などに吊下げ施工するための構造とその施工方法に関する。
【０００２】
【背景技術】
温風を吹き出すことによって浴室内を暖房したり、浴室内に吊下げられた洗濯物などを乾燥させるための浴室暖房乾燥機（空気調和機）が従来より使用されている。このような浴室暖房乾燥機には、壁掛け型のものと天井取付け型のものとがある。
【０００３】
このうち天井取付型の浴室暖房乾燥機は、浴室暖房乾燥機本体を浴室の天井裏に設置し、浴室暖房乾燥機本体の下面を覆うようにして天井の下面にフロントカバー（化粧カバー）を配置されるものであって、浴室暖房乾燥機本体を天井裏に隠すことができるので、浴室内をすっきりとさせることができる。
【０００４】
図１は天井裏に施工された浴室暖房乾燥機１の設置状態の一例を示す概略側面図、図２はその概略断面図である。符号４で示すものは、内部を循環する温水と空気とを熱交換させることにより、通過する空気を加熱するための熱交換器である。この浴室暖房乾燥機１にあっては、循環ファン５をモータ駆動すると、循環ファン５によってフロントカバー３の吸込口６から吸い込まれた浴室内の空気は、熱交換器４を通過することによって加熱され、ファンケーシングを兼ねた送風路７に導かれてフロントカバー３の吹出口８から温風として吹き出される。
【０００５】
このような浴室暖房乾燥機１を施工する際には、天井パネル１３にあけられた開口１４から浴室暖房乾燥機本体２を天井裏に持ち上げ、天井から下がっている４本の吊ボルト（アンカーボルト）１０を浴室暖房乾燥機本体２のケーシング９に設けられた吊ボルト用凹部１５に位置させ、吊ボルト用凹部１５の底面１１に開口されている装着孔に吊ボルト１０を挿通させ、ナット１６で挟んでケーシング９を吊ボルト１０に連結する。こうしてケーシング９のフランジ１２を天井パネル１３の下面に当てるようにして施工した後、浴室暖房乾燥機本体２の下面を覆うようにして天井パネル１３の下にフロントカバー３を取付ける。
【０００６】
しかしながら、このような施工方法では、浴室暖房乾燥機本体２を天井裏まで持ち上げて吊ボルト用凹部１５の底面１１に吊ボルト１０を挿通させた後、浴室暖房乾燥機本体２を天井裏から落下しないよう支えながら、各吊ボルト１０にナット１６を締め付けて浴室暖房乾燥機本体２の４箇所を順次吊ボルト１０に支持させていかなければならない。そのため、浴室暖房乾燥機本体２を支持する作業者と、各吊ボルト１０に順次ナット１６を締め付けて浴室暖房乾燥機本体２を支持させる作業者との最低２名の作業者が必要であった（浴室暖房乾燥機本体２の重量などによっては、さらに多人数の作業者が必要になる。）。
【０００７】
また、吊ボルト１０を４箇所の装着孔に通した状態に維持しながら、その一方で各吊ボルト１０にそれぞれナット１６を締付ける作業も非常に難しかった。
【０００８】
本発明は上記の従来例の問題点に鑑みてなされたものであり、その目的とするところは、天井裏などにおいて容易に施工することができる空気調和機の施工構造と、その施工方法を提供することにある。
【０００９】
【発明の開示】
本発明の請求項１に係る発明は、上方から垂下された吊ボルトを空気調和機の取付け箇所に設けられた孔に挿通させ、前記孔よりも上において吊ボルトに取り付けられた上締付け具と前記孔よりも下において吊ボルトに取り付けられた下締付け具で空気調和機を吊ボルトに支持させた空気調和機の施工構造において、空気調和機を仮保持させるための仮保持用バネ部材を前記上締付け具に支持させ、当該仮保持用バネ部材を上方から空気調和機の前記孔に挿通させ、前記上締付け具と前記下締付け具との間に空気調和機の前記取付け箇所を挟持させたことを特徴としている。ここで、上締付け具及び下締付け具は、吊ボルトに取付けられるものであるから、少なくとも雌ネジ孔を有しており、例えばナット状の部分を有している。
【００１０】
請求項１に記載の発明にあっては、このような構成を有しているので、請求項６に記載の施工方法のように、上方から垂下された吊ボルトに仮保持用バネ部材を保持した上締付け具を取り付け、前記上締付け具の下から、空気調和機の取付け箇所に設けられた孔に吊ボルトを挿通させ、前記仮保持用バネ部材を上方から空気調和機の前記孔に挿通させ、仮保持用バネ部材によって空気調和機を仮保持させた後、前記孔の下から吊ボルトに下締付け具を取り付け、上締付け具と下締付け具の間に空気調和機の前記取付け箇所を挟持させることにより空気調和機を支持させることができる。
【００１１】
このように、本発明によれば、吊ボルトに取付けられた仮保持部材によって空気調和機を仮保持させることができるので、その後における、下締付け具を吊ボルトに取付けて下締付け具を空気調和機の取付け箇所に締め付けて空気調和機を支持させるまでの工程を容易に行うことができ、省力化又は省人化を図ることができる。典型的な場合には、一人で空気調和機の天井裏への取付け作業を行なうことができる。しかも、最終的な形態においては、空気調和機の取付け箇所が上締付け具と下締付け具によって挟持されるので、空気調和機は吊ボルトにしっかりと固定される。
【００１２】
本発明の請求項２に記載の実施態様は、請求項１に記載の空気調和機の施工構造における前記上締付け具が、ナット及び弾性部材により構成されており、当該弾性部材を空気調和機の前記取付け箇所の上面に当接させていることを特徴としている。
【００１３】
この実施態様によれば、上締付け具の一部を構成する弾性部材が空気調和機の取付け箇所の上面に当接しているので、空気調和機の振動を弾性部材によって吸収することができ、上締付け具に制振作用を持たせることができ、振動音やびびり音などが発生するのを防止することができる。
【００１４】
本発明の請求項３に記載の実施態様は、請求項１又は２に記載の空気調和機の施工構造における前記下締付け具が、ナット及び弾性部材により構成されており、当該弾性部材を空気調和機の前記取付け箇所の下面に当接させていることを特徴としている。
【００１５】
この実施態様によれば、下締付け具の一部を構成する弾性部材が空気調和機の取付け箇所の下面に当接しているので、空気調和機の振動を弾性部材によって吸収することができ、上締付け具に制振作用を持たせることができ、振動音やびびり音などが発生するのを防止することができる。
【００１６】
本発明の請求項４に記載の実施態様は、請求項１、２又は３に記載の空気調和機の施工構造において、空気調和機のケーシングの上面又は側面に凹部を形成し、当該凹部の底面に位置する前記取付け箇所に前記孔を設けたことを特徴としている。
【００１７】
この実施態様にあっては、ケーシングの上面又は側面に設けた凹部（後述の実施形態でいう吊ボルト用凹部）に孔を開口して吊ボルトを通すようにしているので、１本の吊ボルトはケーシングの一箇所に通すだけでよく、施工を簡略化することができる。しかも、凹部の底面に孔を設けることで、上締付け具と下締付け具で挟んで固定する取付け箇所を空気調和機の下部に位置させることができる。
【００１８】
本発明の請求項５に記載の実施態様は、請求項１、２、３又は４に記載の空気調和機の施工構造における前記仮保持用バネ部材が、弾性変位して内側へ向けて引っ込むようになった一対の水平な支持面と、上向きの力を受けて前記支持面を内側へ向けて引っ込ませるようになったガイド面とを備えたことを特徴としている。
【００１９】
この実施態様によれば、上締付け具及び仮保持用バネ部材を取付けた吊ボルトを取付け箇所の孔に通して押し上げると、孔の縁がガイド面（後述の実施形態では、ガイド片によって構成される。）に当たって支持面（後述の実施形態では、支持片によって構成される。）を引っ込め、取付け箇所が支持面の上に抜けると支持面が元の位置に弾性復帰するので、取付け箇所が支持面の上に乗って空気調和機が仮保持用バネ部材によって仮保持される。
【００２０】
【発明の実施の形態】
（第１の実施形態）
図３は本発明の一実施形態による浴室暖房乾燥機（空気調和機）の構造を示す概略断面図であり、図４はその浴室暖房乾燥機本体の概略上面図である。この浴室暖房乾燥機２１は、主として浴室暖房乾燥機本体２２とフロントカバー２３によって構成されている。この浴室暖房乾燥機本体２２にあっては、下面開口したケーシング２４の内部にファン収納部２５と換気装置収納部２６とが設けられ、ケーシング２４の下端部外周にフランジ２７が周設されている。また、ケーシング２４の外周面には、上面からフランジ２７の近くにまで亘って窪んだ吊ボルト用凹部２８が複数箇所に設けられており、吊ボルト用凹部２８の底面（以下、取付け箇所という。）には、吊ボルト２９を通すことができる長方形状をした貫通孔３０が開口されている。ファン収納部２５の下部には、ほぼ筒状をした送風路３１が設けられている。
【００２１】
ファン収納部２５内には、クロスフローファンのような循環ファン３２が設置されており、ファン収納部２５の吸引側には熱交換器３３が設けられている。空気を加熱するための手段としては、電気ヒータなどでもよいが、この実施形態では、熱源機から供給される温水を循環させ、温水と浴室から吸引した空気とを熱交換させて空気を加熱する熱交換器３３を用いている。
【００２２】
また、換気装置収納部２６内には、シロッコファン３４とモータ３５によって構成された換気装置３６が納められており、換気装置３６の吹出し方向では、ケーシング２４に排気口（図示せず）が開口されている。
【００２３】
また、天井裏に施工された浴室暖房乾燥機本体２２は、図３に示されているように、吊下げ支持具３７を用いて、梁やスラブから垂下されている複数本（例えば、３本ないし４本）の吊ボルト２９に吊り下げるようにして天井裏で支持されている。浴室暖房乾燥機本体２２は、フランジ２７を天井パネル３８の下面に当接させるようにして天井パネル３８の開口３９に嵌め込まれており、浴室暖房乾燥機本体２２の下面は天井パネル３８の下に配設されたフロントカバー２３によって覆われている。
【００２４】
しかして、循環ファン３２を回転させると、フロントカバー２３の吸込口４０から浴室暖房乾燥機本体２２内に吸込まれた浴室内の空気は、熱交換器３３を通過する際に熱交換器３３内部を流れる温水と熱交換することによって加熱され、熱交換器３３で加熱された温風は循環ファン３２によって送風路３１から送り出され、吹出口４１から浴室へ吹き出される。なお、送風路３１内には、モータ（図示せず）で駆動される風向板４２が設けられており、風向板４２の傾きを変えることで吹出口４１からの温風吹出し方向を調整することができる。
【００２５】
このような浴室暖房乾燥機２１によれば、吹出口４１から浴室内に温風を吹き出させることによって浴室内の暖房を行うことができる。また、浴室内に洗濯物などを吊しておくことにより、浴室を衣類乾燥室として使用することもできる。
【００２６】
また、モータ３５によってシロッコファン３４を回転させれば、換気装置３６によって浴室内の湿気を含んだ空気を強制的に屋外へ排出することができる。
【００２７】
次に、上記のような浴室暖房乾燥機２１を天井裏に施工するための構造について説明する。図５は吊ボルト２９に取付けられていて浴室暖房乾燥機本体２２を支持している吊下げ支持具３７の構造を示す正面図であり、図６は図５のＸ−Ｘ線断面図である。また、図７は吊下げ支持具３７の分解斜視図である。吊下げ支持具３７は、図７のように、上ナット４３、仮保持用バネ部材４４、上弾性部材４５、下弾性部材４６、下ナット４７から構成されている。
【００２８】
仮保持用バネ部材４４は、板金を折り曲げ加工したものであって、図７に示すように、吊ボルト２９を挿通させることができる通孔４８を中央部に開口された水平片４９の両端から弾性片５０が垂下され、弾性片５０の下端から外側へ向けて水平に支持片５１が延出され、支持片５１の先端から内側へ向けて斜め下りにガイド片５２が延出されている。図６に示すように、この仮保持用バネ部材４４の幅は、ケーシング２４に開口された装着孔３０の幅よりも若干狭くなっており、水平片４９の長さも装着孔３０の長さよりも短くなっており、仮保持用バネ部材４４の長さは装着孔３０の長さよりも長くなっている。
【００２９】
図５及び図６に示されているように、上ナット４３は吊ボルト２９に螺合されており、通孔４８に吊ボルト２９を挿通された仮保持用バネ部材４４は上ナット４３によって保持されている。すなわち、上ナット４３は仮保持用バネ部材４４と一体化されており、上ナット４３を吊ボルト２９に取付けられたとき仮保持用バネ部材４４を保持できるようになっている。例えば、仮保持用バネ部材４４の水平片４９の上面に溶接等によって上ナット４３を接合させておいてもよく、水平片４９の通孔４８に上ナット４３の下面に設けた突起などを回転自在に連結させておいてもよい。施工状態においては、この仮保持用バネ部材４４は、ケーシング２４の取付け箇所の上面側から装着孔３０に挿通されており、弾性片５０及び支持片５１が装着孔３０を通過し、支持片５１の上面がケーシング２４の下面に対向している。
【００３０】
上弾性部材４５はゴムやプラスチック等の弾性を有する材料によって製作されており、装着孔３０の幅よりも大きな幅を有する横長矩形状をした弾性押え部５３の下面から軸部５４を垂設し、弾性押え部５３から軸部５４にかけて貫通孔５５が設けられている。上弾性部材４５は、弾性を有する一方で、ケーシング２４の取付け箇所の上面を押えることができるだけの剛性を有している。例えば、ゴムや軟質プラスチックからなる弾性押え部５３の内部に金属製の芯材をインサートしておいてもよく、あるいはポリエチレンのように適度の弾性を有する硬質プラスチックである程度の厚みを持たせて上弾性部材４５を成形しておいてもよい。この上弾性部材４５は、弾性押え部５３の上面を接着剤や両面粘着テープなどによって仮保持用バネ部材４４の水平片４９下面に接着されている。施工状態においては、上弾性部材４５の貫通孔５５には吊ボルト２９が挿通されており、弾性押え部５３の両側部下面がケーシング２４の上面に当接している。
【００３１】
下弾性部材４６はゴムやプラスチック等の弾性を有する材料によって、装着孔３０よりも大きな直径を有する円柱状に成形されており、上面には上弾性部材４５の軸部５４がほぼぴったりとはまり込む嵌合孔５６が貫通している。下弾性部材４６は、ケーシング２４の下面側で吊ボルト２９を挿通されており、下弾性部材４６の下面側で吊ボルト２９に螺合された下ナット４７を締め付けることにより上弾性部材４５の弾性押え部５３と下弾性部材４６の上面との間に装着孔３０の縁（つまり、ケーシング２４の取付け箇所）を挟み込んでいる。
【００３２】
この結果、浴室暖房乾燥機本体２２は、吊下げ支持具３７によって、装着孔３０に挿通させた複数本、例えば４本ないし３本の吊ボルト２９に吊下げるようにして支持される。また、浴室暖房乾燥機本体２２は、上弾性部材４５と下弾性部材４６との間に挟み込むようにして支持されているので、浴室暖房乾燥機本体２２内部のモータ等の振動も上弾性部材４５や下弾性部材４６で吸収させることができ、振動音を低減させることができる。
【００３３】
次に、図８及び図９に従って浴室暖房乾燥機２１を天井裏に施工する手順を説明する。まず、図８（ａ）に示すように、各々の吊ボルト２９に上ナット４３と仮保持用バネ部材４４と上弾性部材４５を取り付ける。上ナット４３と仮保持用バネ部材４４とは一体化されており、上弾性部材４５は仮保持用バネ部材４４の下面に接着されているので、上ナット４３を吊ボルト２９に螺合させるだけで上ナット４３と仮保持用バネ部材４４と上弾性部材４５を吊ボルト２９に取り付けることができる。これらを吊ボルト２９に取り付けた後、上ナット４３を回すことによって各吊ボルト２９に取り付けられている仮保持用バネ部材４４及び上弾性部材４５の天井パネル３８からの高さがほぼ同じ高さとなるように調整する。
【００３４】
ついで、浴室暖房乾燥機本体２２を天井パネル３８の開口３９内に納入して天井裏へ持ち上げる。このとき、各吊ボルト２９がケーシング２４の吊ボルト用凹部２８内に位置するようにし、吊ボルト２９の下端部を吊ボルト用凹部２８の底面に開口された装着孔３０に挿入させる。各吊ボルト２９が装着孔３０に入ったら浴室暖房乾燥機本体２２を持ち上げ、そのまま浴室暖房乾燥機本体２２を上方へ押し上げる。
【００３５】
浴室暖房乾燥機本体２２を上方へ押し上げると、図８（ｂ）に示すように、ケーシング２４の装着孔３０の縁が仮保持用バネ部材４４のガイド片５２に当たる。さらに、浴室暖房乾燥機本体２２を押し上げると、装着孔３０の縁によってガイド片５２が内側へ押し込まれるので、図８（ｃ）に示すように、弾性片５０が内側へ弾性的に屈曲することによって支持片５１及びガイド片５２が内側へ引っ込み、装着孔３０の縁が支持片５１の先端を越えて上方へ移動する。
【００３６】
装着孔３０の縁が支持片５１を超えると、弾性片５０の弾性復帰力によって支持片５１及びガイド片５２が元の位置に戻る。よって、浴室暖房乾燥機本体２２を支持していた手を離すと、図９（ｄ）に示すように、ケーシング２４の取付け箇所が支持片５１の上に乗って仮保持される。よって、作業者は、この時点で浴室暖房乾燥機本体２２を支持する作業から解放される。
【００３７】
ついで、図９（ｅ）に示すように、各吊ボルト２９に下弾性部材４６と下ナット４７を取り付け、下ナット４７を回して締め付ける。このとき上弾性部材４５の軸部５４は下弾性部材４６の嵌合孔５６内にはまり込み、上弾性部材４５と下弾性部材４６の軸心が一致させられる。下ナット４７を強く締め付けると、ケーシング２４の取付け箇所の下面は下弾性部材４６によって押し上げられ、図９（ｆ）に示すように、吊ボルト用凹部２８の底面が弾性押え部５３と下弾性部材４６との間に強く挟み込まれて支持される。なお、こうして施工が完了した状態においては、図９（ｆ）に示すように、ケーシング２４は仮保持用バネ部材４４の支持片５１から浮き上がっていてもよく、支持片５１の上に乗っていても差し支えない。この後、浴室暖房乾燥機本体２２の下面に、フロントカバー２３を取り付ける。
【００３８】
仮保持用バネ部材４４を用いなければ、浴室暖房乾燥機本体２２を仮保持させることができないので、図９（ｅ）のように下弾性部材４６と下ナット４７を各吊ボルト２９に取り付けて下ナット４７を締め付ける間も浴室暖房乾燥機本体２２を手で支持している必要があり、少なくとも二人以上でないと作業することができない。これに対し、このような実施形態の施工方法によれば、浴室暖房乾燥機本体２２を仮保持用バネ部材４４で仮保持させた状態で、下弾性部材４６や下ナット４７を取り付けることができるので、省力化することができ、一人で浴室暖房乾燥機２１を施工することも可能になる。
【００３９】
仮保持用バネ部材４４で浴室暖房乾燥機本体２２を支持しているだけであると、浴室暖房乾燥機本体２２が仮保持用バネ部材４４から浮き上がる。また、ケーシング２４の吊ボルト用凹部２８の底面を弾性押え部５３で押えるようにする場合でも、装着孔３０の縁を弾性押え部５３と支持片５１との間に嵌め込みやすくするためには、弾性押え部５３の下面と支持片５１の上面との距離をケーシング２４の装着孔３０の縁の厚みよりも大きくして余裕を持たせておく必要があり、その場合には装着孔３０の縁の上面と弾性押え部５３の下面との間に隙間が生じる。その結果、地震や大型車両の走行時の振動などによって浴室暖房乾燥機本体２２が浮き上がったり、揺れ動いたりする恐れがある。そこで、本発明においては、最終的な施工状態においては、ケーシング２４を上ナット４３及び上弾性部材４５と下弾性部材４６及び下ナット４７とで締め付けて固定し、浴室暖房乾燥機本体２２が揺れ動いたり、浮き上がったりしないようにしている。よって、浴室暖房乾燥機本体２２が確実に固定され、振動音やびびり音などが発生する恐れが無くなる。さらに、ケーシング２４は上弾性部材４５と下弾性部材４６との間に挟み込まれているので、これら弾性部材４５、４６によって振動を吸収させることができる。特に、ケーシング２４が支持片５１から浮いていれば、浴室暖房乾燥機本体２２と仮保持用バネ部材４４との間で振動音等が発生する恐れがない。
【００４０】
さらに、ケーシング２４には、吊ボルト用凹部２８を設けて吊ボルト用凹部２８を吊ボルト用凹部２８の底面に開口された装着孔３０だけに通せばよいようにしているので、各吊ボルト２９を浴室暖房乾燥機本体２２のケーシング２４に通し易くなり、より一層施工を簡略化することができる。
【００４１】
なお、上記実施形態においては、上ナット４３の下に仮保持用バネ部材４４を位置させたが、仮保持用バネ部材４４の水平片４９の下面に上ナット４３を一体化させてもよい。また、２つの上ナット４３の間に仮保持用バネ部材４４の水平片４９を挟み込むようにすれば、仮保持用バネ部材４４と上ナット４３が別個に形成されていてもよい。
【００４２】
（第２の実施形態）
図１０は本発明の別な実施形態に用いられる吊下げ支持具３７の構造を示す分解斜視図である。この実施形態で用いられている仮保持用バネ部材４４では、弾性片５０、支持片５１及びガイド片５２の幅は装着孔３０の幅よりも狭くなっているが、水平片４９の両側縁からは張出し部４９ａが水平に延出されていて、水平片４９全体の幅は装着孔３０の幅よりも広くなっている。また、下弾性部材４６には吊ボルト２９を挿通させるための貫通孔５８があいている。
【００４３】
よって、この仮保持用バネ部材４４では、張出し部４９ａと下弾性部材４６との間にケーシング２４を挟み込むことによってケーシング２４を掴み、各吊ボルト２９で浴室暖房乾燥機本体２２を支持させることができる。なお、この仮保持用バネ部材４４が金属製である場合には、水平片４９の下面にゴム、軟質プラスチック、発泡プラスチック等の弾性シート５７を貼り付けておいてもよい。
【００４４】
このような実施形態によれば、上弾性部材４５を省くことができるので、部品点数を削減でき、コスト面でも有利となり、施工も簡略化される。
【００４５】
【発明の効果】
本発明の請求項１の空気調和機の吊下げ構造、又は、本発明の請求項６の空気調和機の施工方法によれば、吊ボルトに取付けられた仮保持部材によって空気調和機を仮保持させることができるので、その後における、下締付け具を吊ボルトに取付けて下締付け具を空気調和機の取付け箇所に締め付けて空気調和機を支持させるまでの工程を容易に行うことができ、省力化又は省人化を図ることができる。典型的な場合には、一人で空気調和機の天井裏への取付け作業を行なうことができる。しかも、最終的な形態においては、空気調和機の取付け箇所が上締付け具と下締付け具によって挟持されるので、空気調和機は吊ボルトにしっかりと固定される。
【００４６】
また、本発明の請求項２に記載の実施態様によれば、上締付け具の一部を構成する弾性部材が空気調和機の取付け箇所の上面に当接しているので、空気調和機の振動を弾性部材によって吸収することができ、上締付け具に制振作用を持たせることができ、振動音やびびり音などが発生するのを防止することができる。
【００４７】
本発明の請求項３に記載の実施態様によれば、下締付け具の一部を構成する弾性部材が空気調和機の取付け箇所の下面に当接しているので、空気調和機の振動を弾性部材によって吸収することができ、上締付け具に制振作用を持たせることができ、振動音やびびり音などが発生するのを防止することができる。
【００４８】
本発明の請求項４に記載の実施態様によれば、ケーシングの上面又は側面に設けた凹部に孔を開口して吊ボルトを通すようにしているので、１本の吊ボルトはケーシングの一箇所に通すだけでよく、施工を簡略化することができる。しかも、凹部の底面に孔を設けることで、上締付け具と下締付け具で挟んで固定する取付け箇所を空気調和機の下部に位置させることができる。
【００４９】
本発明の請求項５に記載の実施態様によれば、上締付け具及び仮保持用バネ部材を取付けた吊ボルトを取付け箇所の孔に通して押し上げると、孔の縁がガイド面に当たって支持面を引っ込め、取付け箇所が支持面の上に抜けると支持面が元の位置に弾性復帰するので、取付け箇所が支持面の上に乗って空気調和機が仮保持用バネ部材によって仮保持される。
【図面の簡単な説明】
【図１】天井裏に施工された浴室暖房乾燥機の設置状態の一例を示す概略側面図である。
【図２】同上の浴室暖房乾燥機の概略断面図である。
【図３】本発明の一実施形態による浴室暖房乾燥機（空気調和機）の構造を示す概略断面図である。
【図４】同上の浴室暖房乾燥機を構成する浴室暖房乾燥機本体の概略上面図である。
【図５】吊ボルトに取付けられた吊下げ支持具の構造を示す正面図である。
【図６】図５のＸ−Ｘ線断面図である。
【図７】図５に示した吊下げ支持具の分解斜視図である。
【図８】（ａ）（ｂ）（ｃ）は、浴室暖房乾燥機本体を天井裏に施工する手順を説明する図である。
【図９】（ｄ）（ｅ）（ｆ）は同上の続図である。
【図１０】本発明の別な実施形態に用いられる吊下げ支持具の構造を示す分解斜視図である。
【符号の説明】
２２　浴室暖房乾燥機本体
２４　ケーシング
２８　吊ボルト用凹部
２９　吊ボルト
３０　装着孔
３７　吊下げ支持具
４３　上ナット
４４　仮保持用バネ部材
４５　上弾性部材
４６　下弾性部材
４７　下ナット
５０　弾性片
５１　支持片
５２　ガイド片
【図１】
2004069240.tif 000003
【図２】
2004069240.tif 000004
【図３】
2004069240.tif 000005
【図４】
2004069240.tif 000006
【図５】
2004069240.tif 000007
【図６】
2004069240.tif 000008
【図７】
2004069240.tif 000009
【図８】
2004069240.tif 000010
【図９】
2004069240.tif 000011
【図１０】
2004069240.tif 000012